(57)【要約】【課題】本発明は、組立者の技量によらずに、装飾部材同士の位置決め及び固定を一定かつ確実にすることができる食品用オーナメントを提供する。【解決手段】本発明の食品用オーナメントＸは、食品に挿し込んで固定するピック部５と、ピック部５の上方に設けられた支持部４と、支持部４に取り付け可能な第１の装飾部材１とを備え、支持部４は、第１の装飾部材１の表面１ｐの少なくとも一部を支持する前壁１０と、前壁１０よりも大面積に形成されて第１の装飾部材１の背面の少なくとも一部を支持する後壁１１とを有し、前壁１０と後壁１１とにより第１の装飾部材１を挟持して支持する。【選択図】図１
2017189970.tif 000002
【特許請求の範囲】
【請求項１】
食品に挿し込んで固定するピック部と、前記ピック部の上方に設けられた支持部と、前記支持部に取り付け可能な第１の装飾部材とを備え、
前記支持部は、前記第１の装飾部材の表面の少なくとも一部を支持する前壁と、前記前壁よりも大面積に形成されて前記第１の装飾部材の背面の少なくとも一部を支持する後壁とを有し、
前記前壁と前記後壁とにより前記第１の装飾部材を挟持して支持する食品用オーナメント。
【請求項２】
前記支持部には、前記第１の装飾部材に加えて第２の装飾部材を保持可能な一以上の枝部が一体的に形成されている請求項１に記載の食品用オーナメント。
【請求項３】
前記支持部には、更に第３の装飾部材を留める孔又は突起が形成されている請求項１又は２に記載の食品用オーナメント。
【請求項４】
前記支持部には、前記第１の装飾部材を係止させる係止凸部が形成されている請求項１から３のいずれか一項に記載の食品用オーナメント。
【請求項５】
前記第１の装飾部材には、前記係止凸部に係止する切欠き、孔又は切れ目の少なくともいずれかが形成されている請求項４に記載の食品用オーナメント。
【請求項６】
前記前壁の裏面及び前記後壁の表面の少なくともいずれか一方には、前記第１の装飾部材の動きを規制する凹凸が形成されている請求項１から５のいずれか一項に記載の食品用オーナメント。
【請求項７】
前記前壁は、前記支持部の上方から下方、下方から上方又は側方から中央の少なくともいずれかの方向に突出している請求項１から６のいずれか一項に記載の食品用オーナメント。
【発明の詳細な説明】
【技術分野】
【０００１】
本発明は、食品用オーナメントに関する。
【背景技術】
【０００２】
食品用オーナメントとして、特許文献１に示されたケーキ用飾りなどが知られている。
この公報に記載されたケーキ用飾りは、ケーキに挿し込むピックと、針金からなる軸部を有した木の実装飾体と、木の葉装飾体と、リボン及びベルを備えた装飾体とを有している。ケーキ用飾りのピックの上端側には、フランジを設けたカップ部が設けられており、カップ部内に、木の実装飾体の軸部及びリボン及びベルの装飾体の軸部が挿入され、接着固定されている。
【先行技術文献】
【特許文献】
【０００３】
【特許文献１】実用新案登録第３１６１１１０号公報
【発明の概要】
【発明が解決しようとする課題】
【０００４】
従来の食品用オーナメントは、装飾体同士の位置関係を微調整しながらの軸部をピックのカップ部内に挿入し、組み立てる構成であったため、それぞれの位置関係や全体的なバランス等、製品の仕上がりが組立者によってまちまちになってしまうという問題があった。また、位置関係を調整するために装飾体のカップ部への挿入及び固定が不十分となることがあり、装飾体が食品上に落ちてしまい、商品価値を損ねてしまうことがあるという問題があった。
そこで本発明は、組立者の技量によらずに、装飾部材同士の位置決め及び固定を一定かつ確実にすることができる食品用オーナメントを提供する。
【課題を解決するための手段】
【０００５】
本発明の食品用オーナメントは、食品に挿し込んで固定するピック部と、前記ピック部の上方に設けられた支持部と、前記支持部に取り付け可能な第１の装飾部材とを備え、前記支持部は、前記第１の装飾部材の表面の少なくとも一部を支持する前壁と、前記前壁よりも大面積に形成されて前記第１の装飾部材の背面の少なくとも一部を支持する後壁とを有し、前記前壁と前記後壁とにより前記第１の装飾部材を挟持して支持する。
本発明は、第１の装飾部材を前壁と後壁とでクリップして保持する構成であるため、第１の装飾部材の支持部への取り付けが容易で、かつ、第１の装飾部材の背面を保持する後壁が前壁よりも大きく形成されているため、第１の装飾部材を安定的に保持することができる。
【０００６】
本発明の前記支持部には、前記第１の装飾部材に加えて第２の装飾部材を保持可能な一以上の枝部が一体的に形成されていてもよい。
この構成によれば、第２の装飾部材の支持部に対する位置が固定されるため、組立者の技量によるバランスのばらつきが発生することを防止するができる。
【０００７】
本発明の支持部には、更に第３の装飾部材を留める孔又は突起が形成されていてもよい。
この構成によれば、第３の装飾部材を容易に固定することができる。
【０００８】
本発明の支持部には、前記第１の装飾部材を係止させる係止凸部が形成されていてもよい。
この構成によれば、第１の装飾部材をより確実に支持部に固定させることができる。
【０００９】
本発明の第１の装飾部材には、前記係止凸部に係止させる切欠き、孔又は切れ目の少なくともいずれかが形成されていてもよい。
この構成によれば、第１の装飾部材を係止凸部に容易に係止させることができる。
【００１０】
本発明の前記前壁の裏面及び前記後壁の表面の少なくともいずれか一方には、前記第１の装飾部材の動きを規制する凹凸が形成されていてもよい。
この構成によれば、第１の装飾部材の支持部への固定をより確実に固定することができる。
【００１１】
本発明の前壁は、前記支持部の上方から下方、下方から上方又は側方から中央への少なくともいずれかの方向に突出していてもよい。
この構成によれば、第１の装飾部材を容易かつ確実に固定することができる。
【発明の効果】
【００１２】
本発明の食品用オーナメントは、組立者の技量によらずに、装飾部材同士の位置決め及び固定を一定かつ確実にすることができるという効果を奏する。
【図面の簡単な説明】
【００１３】
【図１】本発明の一実施形態である食品用オーナメントの正面図である。
【図２】図１に示す食品用オーナメントをＹ−Ｙ線で矢視した断面図である。
【図３】本発明の一実施形態である食品用オーナメントの支持部及びピック部を示す正面図である。
【図４】本発明の一実施形態である食品用オーナメントの背面図である。
【図５】本発明の一実施形態である食品用オーナメントの支持部及びピック部の他の例を示す正面図である。
【図６】本発明の一実施形態である食品用オーナメントの他の例を示す正面図である。
【発明を実施するための形態】
【００１４】
以下、本発明の一実施形態の食品用オーナメントについて、図を参照して説明する。なお、本実施形態は、ケーキ等の菓子を飾り付けるオーナメントを例として説明する。また、本願において、表面又は前方とは、オーナメントの正面を向く面又は方向を意味し、裏面又は後方とは、オーナメントの背面を向く面又は方向を意味する。また、上下とは、オーナメントを食品に挿し込んだ姿勢における上下を意味する。
【００１５】
図１に示すように、本発明の一実施形態の食品用オーナメント（以下「オーナメント」という）Ｘは、装飾の主体を成すリーフ形状の第１の装飾部材１と、木の実等を模した第２の装飾部材２と、図２に示す星形やベルの形状に形成された第３の装飾部材３とを有している。更に、オーナメントＸは、第１の装飾部材１から第３の装飾部材３を取り付けて支持する支持部４と、支持部４の下方に形成され、菓子等に挿し込んで固定されるピック部５とを備えている。
【００１６】
第１の装飾部材１は、柊その他のように季節感やイベント等の雰囲気を創出する物、例えばリーフなどをかたどった装飾体であり、布、樹脂その他の材料により形成されている。
本実施形態において、第１の装飾部材１は、Ｖ字型に広がった２枚の柊の葉の形状に形成されており、表面に葉脈が形成されている。２枚の柊の中心には、所定の幅で下方に延びる軸部１ａが形成されている。
【００１７】
第２の装飾部材２は、木の実等を模した扁平な円盤状又は球状等の立体形状の部材であり、オーナメントＸを華やかに見せる又は風合いを出す色が付されている。第２の装飾部材２は、細長い嵌入孔８が形成された嵌入軸部２ａを有している。
図２に示すように、第３の装飾部材３は、特に限定はされないが、星形、花形、リボン又はベル等の形で形成されたオーナメントＸのアクセントとなる部材である。第３の装飾部材３の裏面には、支持部４への取り付けのための突起３ａが形成されている。突起３ａは、第１の装飾部材１を貫通させて取り付けられるようにした場合、第１の装飾部材１を支持部４に固定する補助部材ともなり得る。
これら第１から第３の装飾部材１，２，３は、支持部４に対して着脱自在に構成されている。
【００１８】
図３に示すように、支持部４は、図２に示す第１の装飾部材１の表面１ｐの一部を支持する前壁１０と、前壁１０よりも大面積に形成されて図２に示す第１の装飾部材１の裏面１ｑの一部を支持する後壁１１とを有し、前壁１０と後壁１１とにより第１の装飾部材１を挟持し、支持している。なお、本願において「前壁１０よりも大面積に形成された後壁１１」とは、後壁１１の外形を滑らかに結んで囲まれる面であって、後述する第１及び第２開口部１６，１７を含む後壁１１の全面積が１又は複数形成された各前壁１０の面積よりも大きいことを意味している。本実施形態では、後壁１１の面積は、複数の前壁１０の和よりも大きく形成されている。
【００１９】
後壁１１は、ピック部５の中心線Ｌ１に沿って立ち上がった板状部であり、その表面１１ｐで図２に示す第１の装飾部材１を裏面１ｑから支持できるようになっている。
後壁１１の外形は、図４に示す第１の装飾部材１の軸部１ａから左右斜め上方に延びる葉の下縁１２の形状に合わせて上方に湾曲しながら拡がる下端縁１３と、下端縁１３から上方に延びる側端縁１４と、側端縁１４から上方に向かって山型形状を成す上端縁１５とに囲まれて概略形成されている。後壁１１の表面１１ｐには、第１の装飾部材１の裏面１ｑとの摩擦抵抗を生じやすくする不図示の細かい凹凸が多数形成されている。
【００２０】
図２，図４に示すように、後壁１１には、その上部から上下方向の中央部にかけて第１開口部１６が形成されており、下部には第２開口部１７が形成されている。
第１開口部１６は、上端１６ａが湾曲して凹む形状をした略長円状に形成されている。第１開口部１６の上側には、後壁１１から薄厚の円形状で前方に突出し、第１の装飾部材１の上縁部１８の左右方向中央部を係止させる上方留め部２０が形成されている。上方留め部２０は、リーフ形状を成す第１の装飾部材１の上縁部１８の左右方向中央部の形状に沿って形成されている。
【００２１】
第２開口部１７は、略矩形で第１の装飾部材１の軸部１ａの幅よりもやや大きく形成されている。
図３に示すように、後壁１１の下端縁１３には、第２開口部１７の上方において条状の係止凸部２３が形成されており、図４に示す第１の装飾部材１の軸部１ａから拡がる葉の下縁１２を側方及び下方から支持できるようになっている。
【００２２】
図１，図２に示すように、前壁１０は、本実施形態では、第１開口部１６及び第２開口部１７をそれぞれ覆うように、２箇所に形成されている。前壁１０は、後壁１１の表面１１ｐから略リーフの厚さと同等又はリーフの厚さよりもやや大きい寸法分の間隔を置いて形成されている。
第１開口部１６を覆う前壁１０（以下「上側前壁１０Ａ」という）は、上方留め部２０から下方に向かって延びている。上側前壁１０Ａは、第１開口部１６をちょうど覆う大きさで、支持部４の上部から支持部４の上下方向中央部付近に亘って略長円形に形成されている。
【００２３】
上側前壁１０Ａには、第３の装飾部材３の突起３ａを挿入させて留める貫通孔９が形成されている。
第２開口部１７を覆う前壁１０（以下「下側前壁１０Ｂ」という）は、ピック部５の上端に形成されたフランジ２８の上面２８ｈから上方に向かって延びている。下側前壁１０Ｂは、後壁１１の下部を成しかつ第２開口部１７を形成する左右の輪郭部２１（図４参照）から前方に突出する側壁２２，２２間に亘って、すなわち、第２開口部１７を覆う大きさで矩形に形成されている。
【００２４】
下側前壁１０Ｂと側壁２２とは、第２開口部１７により後方が開口した状態で第１の装飾部材１の軸部１ａを受ける、受け部２４を形成している。
図２に示す上側前壁１０Ａと下側前壁１０Ｂの各裏面１０ｑには、第１の装飾部材１の表面１ｐとの摩擦抵抗を生じやすくする不図示の細かい凹凸が多数形成されている。
【００２５】
図３に示すように、枝部２５は、上方留め部２０付近から上方に向かって棒状に複数、本実施形態では３本延びている。
枝部２５の不図示の先端には不図示の凹凸が形成されており、この凹凸に被さるように扁平な玉形状の第２の装飾部材２が設けられている。
【００２６】
枝部２５は、第２の装飾部材２の見せ方に応じて適宜の長さ及び角度で形成されている。本実施形態では、各枝部２５は互いに異なる長さ及び角度で上方留め部２０から三方に延びるように形成されている。枝部２５は、第２の装飾部材２が互いに密集しているように見せる場合には、第２の装飾部材２同士が重なり合うか合わないかの程度に近接するように短めの長さ又は角度で形成されているとよい。
【００２７】
ピック部５は、棒状で先端５ｔに向かって先鋭に形成されており、ケーキ等の食品に挿して固定されるようになっている。
本実施形態では、ピック部５は、細幅の薄板状に形成されており、組立者が把持したり保管したりし易くなっている。ピック部５は、断面円形に形成されていてもよい。
ピック部５の上端には、水平方向に張り出したフランジ２８が形成されている。フランジ２８の上面２８ｈが設けられており、下面２８ｋには、ピック本体２９が形成されている。
【００２８】
支持部４とピック部５とは、一体成形されている。
支持部４及びピック部５の材質は、特に限定されないが、ＡＢＳ樹脂、ポリプロピレン、ポリエチレン等の合成樹脂を用いて３Ｄプリンタ等による成形その他射出成型等公知の方法を用いて形成することができる。
本発明のオーナメントＸは、以上の各要素により構成されている。
【００２９】
次に、オーナメントＸの組み立て方について説明する。
オーナメントＸは、ピック部５と支持部４と枝部２５とが一体成形されているので、第１の装飾部材１を上側前壁１０Ａ及び下側前壁１０Ｂと、後壁１１との間にクリップさせるとともに、枝部２５の先端を第２の装飾部材２の嵌入軸部２ａに嵌入させ、更に、第３の装飾部材３の突起３ａを貫通孔９に挿入して留めるだけでよい。
具体的には、図１、図４に示すように第１の装飾部材１を支持部４に取り付けるには、第１の装飾部材１の軸部１ａを、その先端が第２開口部１７から突出する程度に受け部２４内に挿入し、支持部４における第１の装飾部材１の所定の取付位置よりも下方に位置させる。
【００３０】
この状態では、第１の装飾部材１の２つのリーフは、まだ上側前壁１０Ａ部の表面１０ｐを覆う位置にあるので、リーフを後方に折り曲げつつ上側前壁１０Ａ部の下端をくぐらせて、第１の装飾部材１を上側前壁１０Ａの裏面１０ｑ（図２参照）側に回らせる。この際、支持部４は、上端縁１５，１５が略山形に形成されており、左右に張り出していないため、第１の装飾部材１を折り曲げるなど取扱いし易くなっている。
その後、第１の装飾部材１を上方留め部２０に当たるまで上方に引っ張ると、その下縁１２が後壁１１の係止凸部２３上に配置されると共に、第２開口部１７に向かって曲がって飛び出していた軸部１ａの先端がフランジ２８部の上面２８ｈに位置し、第１の装飾部材１の全体が本来の形状に延びた姿勢になる。
【００３１】
第１の装飾部材１は、表面１ｐを上側前壁１０Ａと下側前壁１０Ｂとにより上下において押えられ、第１の装飾部材１の裏面１ｑを後壁１１により支持される。すなわち、表面１ｐ及び裏面１ｑの両面から支持されている。そして更に、上方留め部２０、係止凸部２３及びフランジ２８の上面２８ｈにより、第１の装飾部材１の上下左右方向への移動が規制される。
第１の装飾部材１は、このようにして支持部４の所定の位置に取り付けられ、かつ、上下左右及び厚さ方向の移動が規制されて、支持部４から脱落し難くなるように極めて確実に固定される。
【００３２】
第２の装飾部材２は嵌入軸部２ａを有しており、枝部２５の先端は滑り止めの不図示の凹凸が形成されているため、第２の装飾部材２は、嵌入軸部２ａに枝部２５の先端を挿入するだけで確実に固定される。
また、第３の装飾部材３は、上側前壁１０Ａに形成された貫通孔９に簡便に留めることができる。
【００３３】
このように、本発明は、第１の装飾部材１を前壁１０と後壁１１とによりクリップして固定する構成を採用しているため、簡便でかつ確実に所定の位置に取り付けることができるという効果を奏する。
また、本発明は、支持部４の下端縁１３に係止凸部２３が形成され、係止凸部２３の内側に第１の装飾部材１を配置して左右及び下方への移動を規制することができるため、第１の装飾部材１の支持部４への固定がより確実となる。従って、本発明は、食品に第１の装飾部材１が脱落して食品の商品性を低下させるということを有効に防止することができるという効果を奏する。
【００３４】
また、本発明は、第１の装飾部材１が上方に移動することを上方留め部２０により規制できるため、上記効果をより一層期待することができる。
また更に、前壁１０の裏面１０ｑ及び後壁１１の表面１１ｐが摩擦を生じやすい細かな凹凸を有しているため、更に第１の装飾部材１を固定しやすい。
また、本発明は、ピック部５と支持部４と枝部２５とが一体成形されているため、各部材同士の着脱の手間が省けるという効果を奏する。
【００３５】
また、第２の装飾部材２及び第３の装飾部材３がそれぞれ枝部２５及び上側前壁１０Ａの貫通孔９に確実に固定されるようになっているため、食品に第２の装飾部材２及び第３の装飾部材３が脱落して食品の商品価値を低下させるということを有効に防止することができるという効果を奏する。
【００３６】
また、本発明は、第１−第３の装飾部材１，２，３の位置決めが容易となっているため、組立者の技量によりオーナメントＸの仕上がりが異なったり、部品が脱落したりすることなく、一定の品質のオーナメントＸを簡便に作製することができるという効果を奏する。
また、本発明の枝部２５は、斜め前方に屈曲しているため、第２の装飾部材２の配置を立体的に見せることができ、第２の装飾部材２が例えば木の実をあしらったものである場合に、その雰囲気をよりよく創出することが可能となる。
【００３７】
なお、上記実施形態において、上側前壁１０Ａは、縦に延びる略楕円形に形成された構成となっているが、この形状に限定されるものではなく、例えば図５に示すように、下方に広がる三角形に形成された構成であってもよい。このような構成にすると、上側前壁１０Ａをくぐらせて第１の装飾部材１を取り外そうとしたとしても、左右に張り出した上側前壁１０Ａの角部がこれを有効に阻止するため、第１の装飾部材１の脱落又は取り外しを有効に阻止することができるという効果を奏する。また、貫通孔９は、図５に示すように後壁１１に形成されたものであってもよい。この場合、第１の装飾部材１を支持部４にクリップさせた際に貫通孔９に対応する第１の装飾部材１の位置にも孔を形成することで、第３の装飾部材３の突起３ａを前記孔及び貫通孔９に貫通させて第３の装飾部材３を第１の装飾部材１及び支持部４に留めることができる。
【００３８】
また、枝部２５の先端は、斜め前方に向かって屈曲するのみならず適宜の方向に延出させるとよい。
また、第１の装飾部材１を支持部４に対して固定し得るものであれば、後壁１１の下端縁１３に形成される係止凸部２３は、例えば図６に示すように一又は間隔を空けて複数形成されたドット状の突起３０であってもよい。
【００３９】
この場合、係止凸部３０の形状に合わせて第１の装飾部材１に切欠き３１が形成されており、係止凸部３０を取り囲むように係止凸部３０に第１の装飾部材１の切欠き３１を係止させてもよい。なお、係止凸部３０は、後壁１１の下端縁１３又は側端縁１４の直近ではなく、内側に形成されていてもよく、この場合に対応させる第１の装飾部材１の形状は、孔又は切れ目であってもよい。
【００４０】
係止凸部３０及び第１の装飾部材１の形状をこのように形成しても、第１の装飾部材１を支持部４に確実に固定し脱落し難くすることができるという効果を奏する。
又は、係止凸部３０は、後壁１１の表面１１ｐに形成され、第１の装飾部材１の裏面１ｑに食い込んで固定するものであってもよい。
【００４１】
なお、上記実施形態において、前壁１０は後壁１１の上部及び下部に形成された構成となっているが、前壁１０はいずれか一方に形成されたものであっても、又は左右いずれか又は双方から中央に向かって水平方向に延出したものであってもよい。
また、第３の装飾部材３を支持部４に留めるために前壁１０に貫通孔９が形成され、第３の装飾部材３に突起３ａが形成された構成を採用したが、前壁１０に突起が形成され、第３の装飾部材３に前壁１０の突起を挿入させる穴が形成された構成であってもよい。
また、支持部４とピック部５とは着脱自在に形成されていてもよい。
【００４２】
又は、上記実施形態において前壁１０は約３ｍｍ以上の幅寸法で板状に形成されているが、前壁１０はこの構成に限定されるものではなく、後壁１１から前方に延び第１の装飾部材１の表面を押えられるものであれば、上記実施形態の前壁１０よりも小さい爪状のものであってもよい。
【符号の説明】
【００４３】
Ｘ    食品用オーナメント
１    第１の装飾部材
２    第２の装飾部材
３    第３の装飾部材
４    支持部
５    ピック部
９    貫通孔
１０  前壁
１１  後壁
２５  枝部
２３  係止凸部
３０  係止凸部
３１  切欠き
【図１】
2017189970.tif 000003
【図２】
2017189970.tif 000004
【図３】
2017189970.tif 000005
【図４】
2017189970.tif 000006
【図５】
2017189970.tif 000007
【図６】
2017189970.tif 000008